(57)【要約】【課題】同じ空間内において、化粧スペースでは光を取り入れることができ、収納スペースでは光が直接当らないようにすることができる収納室構造及び建物を提供する。【解決手段】収納室６４において、廊下４０との間を区画する間仕切り壁７６の左側に鏡台８０が配置され、当該鏡台８０の上方側に採光窓８２が設けられている。この採光窓８２によって、廊下４０からの採光が可能となる。また、間仕切り壁７６の右側には採光窓８２が設けられていない。つまり、間仕切り壁７６において、壁幅方向の一部に採光窓８２が設けられ採光可能となっているが、壁幅方向の他部には採光窓８２が設けられていないため採光不能となっている。これにより、同じ空間内において、化粧スペースでは光を取り入れることができ、収納スペースでは光が直接当らないようにすることができる。【選択図】図１
2015200140.tif 000002
【特許請求の範囲】
【請求項１】
建物内の廊下に隣接する収納室の壁の一部を構成し、前記廊下との間を区画する間仕切り壁と、
前記間仕切り壁において水平方向に沿った壁幅方向の一部に直接又は間接的に設けられた鏡部と、
前記間仕切り壁の壁幅方向の一部において前記鏡部の上方側又は側方側に設けられ、前記廊下から採光可能な採光窓と、
前記間仕切り壁における壁幅方向の他部に設けられた採光不能な壁部と、
前記壁部において少なくとも前記採光窓に隣接した部分が露出した状態で当該壁部の前に配置された収納棚と、
を有する収納室構造。
【請求項２】
建物内の廊下に隣接する収納室の壁の一部を構成し、前記廊下との間を区画する間仕切り壁と、
前記間仕切り壁において水平方向に沿った壁幅方向の一部に設けられ、前記廊下から採光可能な採光窓と、
前記間仕切り壁における壁幅方向の他部に設けられた採光不能な壁部と、
前記壁部において少なくとも前記採光窓に隣接した部分が露出した状態で当該壁部の前に配置された収納棚と、
前記間仕切り壁以外の区画壁に直接又は間接的に設けられ、前記採光窓を通じて採光可能な鏡部と、
を有する収納室構造。
【請求項３】
請求項１又は請求項２に記載の収納室構造が適用された建物。
【請求項４】
前記収納室に隣接して居室が設けられている請求項３に記載の建物。
【請求項５】
前記居室と前記収納室との間に出入可能な出入部が設けられている請求項４に記載の建物。
【請求項６】
前記廊下が吹き抜け部と繋がっている請求項３〜請求項５の何れか１項に記載の建物。
【請求項７】
前記廊下が建物の外部に面して設けられている請求項３〜請求項６の何れか１項に記載の建物。
【発明の詳細な説明】
【技術分野】
【０００１】
本発明は、収納室構造及び建物に関する。
【背景技術】
【０００２】
例えば、特許文献１には、洗面室に設けられた洗面台の背面にある壁の上部において、壁幅全体に亘って窓が設けられた技術が開示されている。これにより、洗面室内では光を十分に取り入れることができるようになっている。
【先行技術文献】
【特許文献】
【０００３】
【特許文献１】特開平１１−１７２９３６号公報
【発明の概要】
【発明が解決しようとする課題】
【０００４】
しかしながら、この先行技術では、壁幅全体に亘って窓が設けられているため、一部にクローゼットなどが設けられた収納室の場合、当該収納室内へ光が取り込まれ過ぎてしまうと、衣類等の褪色等の問題が生じる可能性がある。
【０００５】
本発明は上記事実を考慮し、同じ空間内において、化粧スペースでは光を取り入れることができ、収納スペースでは光が直接当らないようにすることができる収納室構造及び建物を得ることが目的である。
【課題を解決するための手段】
【０００６】
請求項１記載の本発明の収納室構造は、建物内の廊下に隣接する収納室の壁の一部を構成し、前記廊下との間を区画する間仕切り壁と、前記間仕切り壁において水平方向に沿った壁幅方向の一部に直接又は間接的に設けられた鏡部と、前記間仕切り壁の壁幅方向の一部において前記鏡部の上方側又は側方側に設けられ、前記廊下から採光可能な採光窓と、前記間仕切り壁における壁幅方向の他部に設けられた採光不能な壁部と、前記壁部において少なくとも前記採光窓に隣接した部分が露出した状態で当該壁部の前に配置された収納棚と、を有している。
【０００７】
請求項１記載の本発明の収納室構造では、建物内の廊下に収納室が隣接している。この収納室の壁の一部を構成し当該廊下との間を区画する間仕切り壁において、水平方向に沿った壁幅方向の一部に鏡部が直接又は間接的に設けられている。
【０００８】
ここで、間仕切り壁の壁幅方向の一部における鏡部の上方側又は側方側には、廊下からの採光が可能な採光窓が設けられている。さらに、間仕切り壁における壁幅方向の他部には、採光不能な壁部が設けられている。そして、当該壁部において少なくとも採光窓に隣接した部分が露出した状態で当該壁部の前に収納棚が配置されている。
【０００９】
つまり、本発明では、間仕切り壁において壁幅方向の一部に採光窓が設けられ、壁幅方向の他部には採光窓が設けられていない。このため、収納室において、部分的に採光が可能となる。特に鏡部の上方側又は側方側において採光窓から採光されるため、化粧スペースでは十分に光を取り入れることができ、メイクなどを行う際に明るくて便利である。また、当該採光窓は廊下から採光されるため、建物の外壁に形成された採光窓から直接収納室内へ太陽光が入射される（直接光）場合と比較して、日差しが柔らかく、収納室内の壁や床などの褪色を抑制することができる。
【００１０】
さらに、壁部において少なくとも採光窓に隣接した部分が露出した状態で当該壁部の前に収納棚が配置されるようにすることで、当該収納棚を採光窓から離すことができ、収納棚に光が直接当らないようにすることができる。
【００１１】
なお、間仕切り壁に鏡部が直接設けられているとは、当該間仕切り壁に鏡部が直接取付けられている場合を指し、また、間仕切り壁に鏡部が間接的に設けられているとは、当該間仕切り壁の前に洗面台や化粧台などが設けられている場合を指している。
【００１２】
請求項２記載の本発明の収納室構造は、建物内の廊下に隣接する収納室の壁の一部を構成し、前記廊下との間を区画する間仕切り壁と、前記間仕切り壁において水平方向に沿った壁幅方向の一部に設けられ、前記廊下から採光可能な採光窓と、前記間仕切り壁における壁幅方向の他部に設けられた採光不能な壁部と、前記壁部において少なくとも前記採光窓に隣接した部分が露出した状態で当該壁部の前に配置された収納棚と、前記間仕切り壁以外の区画壁に直接又は間接的に設けられ、前記採光窓を通じて採光可能な鏡部と、を有している。
【００１３】
請求項２記載の本発明の収納室構造では、建物内の廊下に収納室が隣接している。この収納室の壁の一部を構成し当該廊下との間を区画する間仕切り壁において、水平方向に沿った壁幅方向の一部には、廊下からの採光が可能な採光窓が設けられている。また、間仕切り壁における壁幅方向の他部には、採光不能な壁部が設けられている。
【００１４】
そして、当該壁部において少なくとも採光窓に隣接した部分が露出した状態で当該壁部の前に収納棚が配置されている。また、間仕切り壁以外の区画壁には、直接又は間接的に鏡部が設けられており、当該鏡部は採光窓を通じて採光が可能とされている。
【００１５】
つまり、本発明では、間仕切り壁において壁幅方向の一部に採光窓が設けられ、壁幅方向の他部には採光窓が設けられていない。このため、収納室において、部分的に採光が可能となる。また、採光窓は廊下から採光されるため、建物の外壁に形成された採光窓から直接収納室内へ太陽光が入射される（直接光）場合と比較して、日差しが柔らかく、収納室内の壁や床などの褪色を抑制することができる。
【００１６】
さらに、壁部において少なくとも採光窓に隣接した部分が露出した状態で当該壁部の前に収納棚が配置されるようにすることで、当該収納棚を採光窓から離すことができ、収納棚に光が直接当らないようにすることができる。
【００１７】
なお、間仕切り壁以外の区画壁に鏡部が直接設けられているとは、当該区画壁に鏡部が直接取付けられている場合を指し、また、区画壁に鏡部が間接的に設けられているとは、当該区画壁の前に洗面台や化粧台などが設けられている場合を指している。
【００１８】
請求項３記載の本発明の建物は、請求項１又は請求項２に記載の収納室構造が適用されている。
【００１９】
例えば、収納室が建物の外部に面している場合、収納室において外壁側に採光窓を設けることによって、当該採光窓を通じて収納室内への採光が可能となる。しかし、収納室が建物の外部に面していない場合や防犯上の理由などにより収納室の外壁側に採光窓が設けられない場合、収納室への採光が問題となる。
【００２０】
このため、請求項３記載の本発明の建物では、建物の外部に面していない収納室において、請求項１又は請求項２に記載の収納室構造が適用されることによって、当該収納室内への採光が可能となる。
【００２１】
請求項４記載の本発明の建物は、請求項３に記載の建物において、前記収納室に隣接して居室が設けられている。
【００２２】
請求項４記載の本発明の建物では、収納室に隣接して居室が設けられることによって、当該収納室をクローゼットとして利用することができ、設計プランの自由度が広がる。
【００２３】
請求項５記載の本発明の建物は、請求項４に記載の建物において、前記居室と前記収納室との間に出入可能な出入部が設けられている。
【００２４】
請求項５記載の本発明の建物では、居室と収納室との間に出入可能な出入部が設けられることによって、居室と収納室との間で直接行き来できるようになるため便利である。
【００２５】
請求項６記載の本発明の建物は、請求項３〜請求項５の何れか１項に記載の建物において、前記廊下が吹き抜け部と繋がっている。なお、ここでは、廊下に天井部が存在する場合と廊下が吹き抜け部の一部を成し天井部が存在しない場合とが含まれる。
【００２６】
請求項６記載の本発明の建物では、廊下が吹き抜け部と繋がっているため、さらに廊下が明るくなり、収納室内へ自然光を取り入れやすくすることができる。
【００２７】
請求項７記載の本発明の建物は、請求項３〜請求項６の何れか１項に記載の建物において、前記廊下が建物の外部に面して設けられている。
【００２８】
請求項７記載の本発明の建物では、廊下が建物の外部に面して設けられているため、外壁に窓部を設けることで、廊下が明るくなり、収納室内へ自然光を取り入れやすくすることができる。
【発明の効果】
【００２９】
請求項１記載の本発明に係る収納室構造は、同じ空間内において、化粧スペースでは光を取り入れることができ、収納スペースでは光が直接当らないようにすることができる、という優れた効果を有する。
【００３０】
請求項２記載の本発明に係る収納室構造は、採光窓との関係で鏡部の配置において自由度が広がる、という優れた効果を有する。
【００３１】
請求項３記載の本発明に係る建物は、建物の外部に面していない内部空間において、採光が可能となる、という優れた効果を有する。
【００３２】
請求項４記載の本発明に係る建物は、設計プランの自由度が広がる、という優れた効果を有する。
【００３３】
請求項５記載の本発明に係る建物は、生活動線がスムーズになる、という優れた効果を有する。
【００３４】
請求項６記載の本発明に係る建物は、廊下が明るくなり、収納室内へ自然光を取り入れやすくすることができる、という優れた効果を有する。
【００３５】
請求項７記載の本発明に係る建物は、外壁に窓部を設けることで廊下が明るくなり、収納室内へ自然光を取り入れやすくすることができる、という優れた効果を有する。
【図面の簡単な説明】
【００３６】
【図１】本実施形態に係る住宅の一階部分の間取り図である。
【図２】本実施形態に係る収納室構造が適用された収納室の正面図である。
【図３】本実施形態に係る住宅の作用を説明するため収納室及び吹き抜け部を示す部分断面図である。
【発明を実施するための形態】
【００３７】
以下、図面を用いて、本発明の実施の形態に係る収納室構造が適用された建物について説明する。
【００３８】
＜建物の構成＞
図１には、本実施形態に係る建物としての住宅１０の１階部分１２における間取り図が示されている。なお、図１に示した間取りは一例を示したものに過ぎず任意に変更可能とされる。
【００３９】
図１に示されるように、この住宅１０の１階部分１２は、平面視で略矩形状を成している。但し、図面左側上部における外壁１４Ａの位置は、図面左側下部における外壁１４Ｂの位置よりも外側（左側）に配置され、その分、居住空間１６が広くなっている。
【００４０】
図面下部側が住宅１０の正面側となっているが、住宅１０の正面右側は非居住空間１７となっている。非居住空間１７は外壁１４によって居住空間１６と区画されている。非居住空間１７における左側はインナガレージ１８とされ、インナガレージ１８の奥方にはテラス２０が設けられている。
【００４１】
また、非居住空間１７における右側には、玄関アプローチ部２２が設けられている。玄関アプローチ部２２には、居住空間１６を区画する外壁１４Ｃよりも壁厚が厚い外壁２４が当該外壁１４の端部から延出された状態で立設されており、玄関アプローチ部２２を住宅１０の外から目隠ししている。
【００４２】
玄関アプローチ部２２の奥方は居住空間１６とされており、玄関ドア２６を隔てて玄関２８が設けられている。この玄関２８は住宅１０の外に面して住宅１０の奥方まで繋がっており、外壁１４には勝手口３０が設けられている。また、玄関２８の奥壁は外壁１４Ｄとなっており、当該外壁１４Ｄには窓部３２が設けられている。この窓部３２を通じて玄関２８において通気が確保されると共に採光可能とされている。
【００４３】
玄関２８の奥行き方向の中央部には、一部が玄関２８側へ張り出すようにして玄関ホール３４が設けられている。この玄関ホール３４の奥方、つまり、居住空間１６の中央部には、テラス２０に隣接して上階と繋がる吹き抜け部３６が設けられており、玄関ホール３４は当該吹き抜け部３６と一体になって開放感が得られるようになっている。また、吹き抜け部３６はテラス２０にも隣接しており、さらに開放感が得られるようになっている。なお、吹き抜け部３６には図示しない天窓等の窓部が設けられており、吹き抜け部３６内は採光可能とされている。
【００４４】
玄関ホール３４から見て吹き抜け部３６の右側には、上階へ繋がる階段３８が設けられている。また、玄関ホール３４から見て吹き抜け部３６及び階段３８の奥方には、玄関２８と略平行に廊下４０が設けられている。廊下４０は平面視で略逆Ｌ字状を成しており、住宅１０の中央部に設けられている。
【００４５】
玄関ホール３４から吹き抜け部３６を抜けて廊下４０の右側へ向かった突き当たりには、引き戸４２を隔ててトイレ４４が設けられている。廊下４０の突き当たりを右に曲がった突き当たりには、引き戸４６を隔ててサニタリールーム４８が設けられており、当該サニタリールーム４８の奥方には、開閉扉５０を隔てて浴室５２が設けられている。この浴室５２の奥方が前述した玄関２８となっている。
【００４６】
トイレ４４、サニタリールーム４８及び浴室５２は、住宅１０の外に面してそれぞれ配置されており、トイレ４４、サニタリールーム４８及び浴室５２の一部を構成する外壁１４Ｄには、窓部５４、５６、５８がそれぞれ設けられている。この窓部５４、５６、５８を通じて、トイレ４４、サニタリールーム４８及び浴室５２においてそれぞれ通気が確保されると共に採光可能とされている。
【００４７】
玄関ホール３４から吹き抜け部３６を抜けて廊下４０の左側へ向かった突き当たりには、開閉扉６０を隔てて居室６２が設けられている。この居室６２はインナガレージ１８に隣接して配置され、外壁１４の２面（外壁１４Ｂ、１４Ｅ）が住宅１０の外に面する角部屋となっている。
【００４８】
廊下４０に面して居室６２の奥方には、収納室６４、居室６６が順に設けられている。居室６２には、収納室６４と繋がる出入口６８が設けられており、引き戸７０によって居室６６と収納室６４とが区画されている。また、居室６６には、収納室６４と繋がる出入口７２が設けられており、引き戸４２によって居室６６と収納室６４とが区画されている。
【００４９】
（収納室構造の構成）
ここで、本発明の実施の形態に係る収納室構造７４が適用された収納室６４について説明する。
【００５０】
図２には、収納室６４の外壁１４側から廊下４０側へ向かって見た正面図が示されている。この図に示されるように、収納室６４の奥壁が廊下４０（図１参照）との間を区画する間仕切り壁７６となっている。間仕切り壁７６の右側には、間仕切り壁７６の上部が露出した状態で、間仕切り壁７６の前にクローゼット等の収納棚７８が配置されている。
【００５１】
一方、間仕切り壁７６の左側には、間仕切り壁７６の前に鏡部としての鏡台８０が配置されている。また、間仕切り壁７６の左側上部には、鏡台８０の上方に位置して矩形状の採光窓８２が設けられている。つまり、この採光窓８２は、間仕切り壁７６における水平方向に沿った壁幅に沿って設けられているが、収納棚７８の上方までは延びてはいない。換言すると、この採光窓８２は、鉛直方向で鏡台８０の上方にのみに設けられている。
【００５２】
図３には、採光窓８２を通るようにして収納室６４及び吹き抜け部３６を切断したときの部分断面図が示されている。この図に示されるように、採光窓８２は、廊下４０からの採光が可能となっている。なお、この採光窓８２は、ガラス等のはめ殺しタイプでも良いし、ガラス等が開閉可能なタイプでも良い。さらにはガラス等は存在せず、単に廊下４０と連通する開口穴が形成されたものであってもよい。
【００５３】
なお、間仕切り壁７６の廊下４０側には、居室６２側から順に収納部９２、手洗い用の洗面台９４が設けられている。洗面台９４は洗面ボール９４Ａ及び棚部９４Ｂを備えており、洗面ボール９４Ａは、収納部９２に隣接して設けられ、間仕切り壁７６の壁幅方向の略中央部に配置されている。一方、棚部９４Ｂは、洗面ボール９４Ａに隣接して設けられており、棚部９４Ｂの上方に採光窓８２が設けられ、当該棚部９４Ｂは採光窓８２を遮らない高さとなっている。
【００５４】
＜建物の作用・効果＞
次に、本実施形態に係る建物としての住宅１０の作用・効果について説明する。
【００５５】
図２及び図３に示されるように、収納室６４において、廊下４０との間を区画する間仕切り壁７６の左側に鏡台８０が配置され、当該鏡台８０の上方側に採光窓８２が設けられている。この採光窓８２によって、廊下４０からの採光が可能となる。
【００５６】
これにより、収納室６４内が明るくなり、特に鏡台８０に向かった状態で顔の正面側から光が入射されるため、化粧スペースではメイクなどを行う際に大変便利である。また、当該採光窓８２は廊下４０から採光されるため、例えば、図示はしないが、住宅の外壁に形成された窓部から直接収納室内へ太陽光が入射される（直接光）場合と比較して、日差しが柔らかく、収納室６４内の壁や床などの褪色を抑制することができる。
【００５７】
さらに本実施形態では、この採光窓８２は、収納棚７８の上方までは延びてはいない。つまり、間仕切り壁７６の右側には採光窓８２が設けられていない。したがって、本実施形態では、間仕切り壁７６において、壁幅方向の一部に採光窓８２が設けられ採光可能となっているが、壁幅方向の他部には採光窓８２が設けられていないため採光不能となっている。
【００５８】
例えば、収納棚７８としてクローゼットなどが設けられた場合、当該収納室６４内に光が取り込まれ過ぎてしまうと、クローゼット内の衣類等が褪色等してしまう可能性があるが、本実施形態における収納室６４によれば、収納棚７８が設けられた収納スペースでは光が直接当らないようにすることができるため、衣類等の褪色を抑制することができる。
【００５９】
また、本実施形態では、収納棚７８の上方は間仕切り壁７６が露出している。つまり、当該収納棚７８の上面７８Ａと収納室６４の天井部８４との間には隙間Ｈが設けられている。間仕切り壁７６における壁幅方向の他部側は採光不能の壁部７６Ａとなっているため、収納室６４の天井部８４の高さまで収納棚７８を設けることも可能であるが、間仕切り壁７６の壁幅方向の一方側には採光窓８２が設けられているため、当該採光窓８２を通じて収納棚７８は採光される可能性もある。このため、本実施形態では、収納棚７８の上面７８Ａと収納室６４の天井部８４との間に隙間Ｈが設けられるようにすることで、収納室６４が採光されないようにすることができ、収納棚７８の褪色を抑制することができる。
【００６０】
なお、収納棚７８の褪色を抑制することができればよいということからすると、壁部７６Ａにおいて少なくとも採光窓８２に隣接した隣接部７６Ａ１が露出した状態で当該壁部７６Ａの前に収納棚７８が配置されていればよく、これにより、当該収納棚７８を採光窓８２から離すことができ、収納棚７８に光が直接当らないようにすることができる。したがって、収納棚７８の幅が図２に示したものよりも狭い場合は、隣接部７６Ａ１は露出した状態で、収納棚７８の上面７８Ａと収納室６４の天井部８４との間に隙間Ｈが設けられない場合もあり得る。
【００６１】
ところで、収納室６４が住宅１０の外に面している場合、図示はしないが、収納室６４の外壁１４側に採光窓を設けることによって、当該採光窓を通じて収納室６４内への採光が可能となる。しかし、収納室６４が住宅１０の外に面していない場合や防犯上の理由などにより収納室６４の外壁１４側に採光窓が設けられない場合、当該収納室６４への採光が問題となる。
【００６２】
このため、本実施形態では、収納室６４において、廊下４０との間を区画する間仕切り壁７６の一部に採光窓８２を設けることによって、廊下４０からの採光を可能にしている。これにより、当該収納室６４は住宅１０の外に面していない場所に配置することも可能になり、住宅１０における設計プランをさらに広げることができる。
【００６３】
例えば、図１に示されるように、収納室６４に隣接して居室６２が設けられることによって、当該収納室６４をクローゼットとして利用することができ、上述したように、収納室６４内に収納棚７８を配置することができる。
【００６４】
そして、本実施形態では、さらに居室６２、６６と収納室６４との間に出入口６８、７２がそれぞれ設けられている。これにより、居室６２と収納室６４、居室６６と収納室６４との間で直接行き来できるため便利である。すなわち、生活動線がスムーズになる。
【００６５】
また、本実施形態では、図３に示されるように、廊下４０は吹き抜け部３６と繋がっているため、廊下４０が明るくなり、その分、収納室６４内へ自然光を取り入れやすくなる。なお、ここでは、廊下４０に天井部８６が存在しているが、廊下４０が吹き抜け部３６の一部を成し当該天井部８６が存在しない場合であっても勿論良い。廊下４０に天井部８６が設けられていない場合、廊下４０はさらに明るくなるため、収納室６４内へ自然光をさらに取り入れやすくすることができる。
【００６６】
（その他の実施形態）
なお、以下の変形例については図示を省略している。
【００６７】
（１）本実施形態では、図１及び図２に示されるように、収納室６４と廊下４０との間を区画する間仕切り壁７６の前に鏡台８０が配置されているが、鏡台８０に代えて洗面台が配置されてもよい。また、鏡台８０は当該間仕切り壁７６に直接はめ込まれた状態であってもよい。
【００６８】
（２）また、本実施形態では、鏡台８０の上方側に採光窓８２が間仕切り壁７６の壁幅方向に沿って設けられているが、当該採光窓８２は鏡台８０の側方側に設けられてもよい。この場合、間仕切り壁７６の高さ方向に沿って窓部は設けられることになる。
【００６９】
（３）また、ここでは、採光窓８２は矩形状を成しているが、矩形状に限るものではなく、丸状であってもよい。また、間仕切り壁７６の壁幅方向の一部に採光窓８２が設けられていれば良いため、当該採光窓８２は一つに限るものではなく、採光窓の大きさを小さくして当該採光窓が複数設けられていてもよい。
【００７０】
（４）さらに、本実施形態では、間仕切り壁７６の前に鏡台８０が設けられているが、当該鏡台８０が採光可能となっていればよいため、これに限るものではない。例えば、収納室６４における他の区画壁８８、９０及び外壁１４Ｂの前に鏡台８０が配置されていてもよい。間仕切り壁７６の前に鏡台８０が設けられた方がよいが、これに限定しないことにより、設計プランの自由度をさらに広げることができる。
【００７１】
（５）また、本実施形態では、居室６２、６６には、収納室６４と繋がる出入口６８、７２がそれぞれ設けられているが、何れか一方の居室６２、６６のみに出入口が設けられるようにしてもよい。
【００７２】
（６）さらに、本実施形態では、廊下４０は住宅１０の中央部に設けられているが、住宅１０の外に面して設けられるようにしてもよい。この場合、外壁１４に開口部を設けることで、当該廊下４０をさらに明るくすることができ、収納室６４内へ自然光を取り入れやすくすることができる。
【００７３】
以上、本実施形態では、一般住宅に対して適用させて説明したが、他の用途に本発明に係る建物を用いてもよい。例えば、公共施設として利用することもできる。
【００７４】
また、上記構成は一例であり、本発明は、上記に限定されるものでなく、上記以外にも、その主旨を逸脱しない範囲内において種々変形して実施可能であることは勿論である。
【符号の説明】
【００７５】
１０    住宅（建物）
３６    吹き抜け部
４０    廊下
６２    居室
６４    収納室
６６    居室
６８    出入口
７２    出入口
７４    収納室構造
７６    間仕切り壁
７６Ａ   壁部
７６Ａ１ 隣接部（採光窓に隣接した部分）
７８    収納棚
８０    鏡台（鏡部）
８２    採光窓
８８     区画壁
９０     区画壁
【図１】
2015200140.tif 000003
【図２】
2015200140.tif 000004
【図３】
2015200140.tif 000005